(57)【要約】      （修正有）【課題】取扱性に優れ、水素の固定化及び水素ガスの発生が可能なカートリッジを提供する。【解決手段】開口部２を備えた容器３と、該容器の開口部に着脱可能なキャップとを備えるカートリッジ１であって、キャップは、容器内部に水を供給する水供給口と、容器内部から発生した水素ガスを外部へ排出する水素排出口とを有し、容器内部に、水素ガスと反応して水素を固定化できる化合物、又は、水と反応して水素ガスを発生する化合物を配することが可能である。【選択図】図１
2020183336.tif 000002
【特許請求の範囲】
【請求項１】
開口部を備えた容器と、該容器の開口部に着脱可能なキャップとを備えるカートリッジであって、
キャップは、容器内部に水を供給する水供給口と、容器内部から発生した水素ガスを外部へ排出する水素排出口とを有し、
容器内部に、水素ガスと反応して水素を固定化できる化合物、又は、水と反応して水素ガスを発生する化合物を配することが可能である、カートリッジ。
【請求項２】
水供給口の口径が水素排出口の口径よりも小さい、請求項１に記載のカートリッジ。
【請求項３】
キャップは、フェルールリングにより容器の開口部に取り付けられる、請求項１又は２に記載のカートリッジ。
【請求項４】
請求項１〜３のいずれかに記載のカートリッジの容器の開口部から、水素ガスと反応して水素を固定化できる化合物を投入し、容器内部の温度を昇温し、該化合物に水素ガスを接触させて、水と反応して水素ガスを発生する化合物を生成するとともに、水素を固定化する、水素の固定化方法。
【請求項５】
請求項４に記載の製造方法により製造されたカートリッジの水供給口から容器内部に水を供給し、容器内部に配された、水と反応して水素ガスを発生する化合物と水とを反応させることで水素ガスを発生させ、水素排出口から水素ガスを外部へ排出する、水素ガスの発生方法。
【発明の詳細な説明】
【技術分野】
【０００１】
本発明は、水素の固定化及び水素ガスの発生が可能なカートリッジ、水素の固定化方法、及び、水素ガスの発生方法に関する。
【背景技術】
【０００２】
水素は、多くの化学プロセスにおいて重要な材料であり、近年では、自動車用の燃料電池をはじめとしたクリーンエネルギー源としての利用が期待されている。
【０００３】
自動車用の燃料電池において、燃料極に用いられる水素ガスは、自動車に搭載された水素ガスボンベから供給される（例えば、特許文献１参照）。燃料電池の発電量は、このボンベの容積に依存する。それゆえ、積載する水素ガス量を多くしようとすると、ボンベの容積や重量が課題となってくる。
【０００４】
このような課題へのアプローチとして、水素ガスボンベの代わりに、水素ガスの発生源として水素化ホウ素ナトリウムを利用する方法が検討されている（例えば、特許文献２参照）。特許文献２は、安全性の面から、水素化ホウ素ナトリウムを水溶液とし、クエン酸水溶液との反応により水素を発生させるものであり、固形の水素化ホウ素ナトリウムを利用するものではない。
【先行技術文献】
【特許文献】
【０００５】
【特許文献１】特開２００９−１４９５０９号公報
【特許文献２】特開２０１８−１８８３１７号公報
【発明の概要】
【発明が解決しようとする課題】
【０００６】
本発明は、水素ガスと反応して水素を固定化できる化合物、又は、水と反応して水素ガスを発生する化合物を、容器の内部に充填することができ、取扱性に優れ、水素の固定化又は水素ガスの発生が可能なカートリッジを提供することを目的とする。
【課題を解決するための手段】
【０００７】
本発明は、以下の［１］〜［５］のいずれかにより上記課題を解決するものである。
［１］開口部を備えた容器と、該容器の開口部に着脱可能なキャップとを備えるカートリッジであって、キャップは、容器内部に水を供給する水供給口と、容器内部から発生した水素ガスを外部へ排出する水素排出口とを有し、容器内部に、水素ガスと反応して水素を固定化できる化合物、又は、水と反応して水素ガスを発生する化合物を配することが可能である、カートリッジ。；
［２］水供給口の口径が水素排出口の口径よりも小さい、前記［１］に記載のカートリッジ。；
［３］キャップは、フェルールリングにより容器の開口部に取り付けられる、前記［１］又は［２］に記載のカートリッジ。；
［４］前記［１］〜［３］のいずれかに記載のカートリッジの容器の開口部から、水素ガスと反応して水素を固定化できる化合物を投入し、容器内部の温度を昇温し、該化合物に水素ガスを接触させて、水と反応して水素ガスを発生する化合物を生成するとともに、水素を固定化する、水素の固定化方法。；
［５］前記［４］に記載の製造方法により製造されたカートリッジの水供給口から容器内部に水を供給し、容器内部に配された、水と反応して水素ガスを発生する化合物と水とを反応させることで水素ガスを発生させ、水素排出口から水素ガスを外部へ排出する、水素ガスの発生方法。
【発明の効果】
【０００８】
本発明によれば、水素ガスと反応して水素を固定化できる化合物、又は、水と反応して水素ガスを発生する化合物を、容器の内部に充填することができ、取扱性に優れ、水素の固定化及び水素ガスの発生が可能なカートリッジを提供することを目的とする。
【図面の簡単な説明】
【０００９】
【図１】本発明の実施の形態の少なくとも１つに対応する、カートリッジの構造を示す概略図である。
【図２】本発明の実施の形態の少なくとも１つに対応する、カートリッジの構造を示す概略図である。
【図３】本発明の実施の形態の少なくとも１つに対応する、カートリッジを用いた水素ガス発生システムを説明するための概略図である。
【発明を実施するための形態】
【００１０】
以下、添付図面を参照して、本発明の実施の形態について説明する。以下、効果に関する記載は、本発明の実施の形態の効果の一側面であり、ここに記載するものに限定されない。
【００１１】
本発明のカートリッジは、容器の内部に、水素ガスと反応して水素を固定化できる化合物、又は、水と反応して水素ガスを発生する化合物を配することが可能である。カートリッジの容器の内部に、水素ガスと反応して水素を固定化できる化合物を配することで、水素の固定化をすることができ、また、容器の内部に、水と反応して水素ガスを発生する化合物を配することで、水素ガスを供給することができる。
【００１２】
（カートリッジ）
本発明のカートリッジ１は、図１に示すように、上部に開口部２を備えた容器３からなる。該容器３の開口部２には、図２に示すように、着脱可能なキャップ４を備えている。着脱可能なキャップ４は、シリコンゴムなどのパッキンを介してフェルールリングなどの継手５により容器３の開口部２に取り付けられ、これにより容器３を密閉状態にすることができる。
【００１３】
キャップ４は、カートリッジ１内部に水を供給する水供給口６と、カートリッジ１に水を供給することで発生した水素ガスを外部へ排出する水素排出口７とを有する。水供給口６は、後述するカートリッジ１に水を供給する水供給手段からカートリッジ１の容器内部へ水を供給する配管を接続するためのものである。一方、水素排出口７は、容器内部で発生する水素ガスを外部に排出する配管を接続するために設けられる。
【００１４】
水供給口６と、水素排出口７との口径は、それぞれ、カートリッジ１に水を供給できる大きさ、又は、カートリッジ１から水素ガスを排出できる大きさであれば、特に限定されるものではない。例えば、水供給口６の口径が水素排出口７の口径よりも小さい場合は、発生した水素ガスが、水供給口６よりも水素排出口７から優先的に排出される。例えば、外径が１００〜１３０ｍｍであり、内径が９０〜１１０ｍｍのキャップ４に対して、１０Ａソケット（外径２３ｍｍ）の水供給口６と、１５Ａソケット（外径２８ｍｍ）の水素排出口７とすることができる。
【００１５】
容器３の内部には、水素ガスと反応して水素を固定化できる化合物、又は、水と反応して水素ガスを発生する化合物が配される。水素ガスと反応して水素を固定化できる化合物、としては、例えば、メタホウ酸ナトリウム、メタホウ酸リチウム、メタホウ素カリウムなどが挙げられる。水と反応して水素ガスを発生する化合物としては、例えば、水素化ホウ素ナトリウム、水素化ホウ素リチウム、水素化ホウ素カリウムなどが挙げられる。これらの中でも、原材料の価格や取り扱いやすさ等の観点から、メタホウ酸ナトリウム、水素化ホウ素ナトリウムが好ましい。
【００１６】
これらの水と反応して水素ガスを発生する化合物は、水素ガスと反応して水素を固定化できる化合物をもとに、水素を固定化することで得ることができる。例えば、メタホウ酸ナトリウムと水素ガスを接触させることで、水素化ホウ素ナトリウムを得ることができる。さらに、水素化ホウ素ナトリウムを水に接触させることで、水素ガスを発生させ、メタホウ酸ナトリウムを得ることができる。したがって、本発明のカートリッジは、容器内の化合物を交換しなくても、水素を固定化させたのち、水素ガスを発生させ、さらにまた、水素を固定化させるといったように、繰り返し使用することが可能である。
【００１７】
カートリッジ１の容器３及びキャップ４の材質としては、容器３の内部の化合物が、運搬中に水分と接触することを防いだり、生成する水素ガスの圧力に耐えるために、ステンレス系の金属や、耐熱耐水素性を有する樹脂が好ましい。
【００１８】
（カートリッジの調製）
次に、水素ガスと反応して水素を固定化できる化合物として、メタホウ酸ナトリウムを用いた場合における、カートリッジの調製方法について説明する。まず、カートリッジ１の容器３の内部に、メタホウ酸ナトリウムを充填する。メタホウ酸ナトリウムを充填したカートリッジ１は、開口部２を開放したまま、水素化反応容器（不図示）内に設置する。水素化反応容器内には、複数のカートリッジを設置してもよい。
【００１９】
水素化反応容器を密閉した後、水素化反応容器内へ水素ガスの供給を開始する。水素化反応容器内の圧力が所定の圧力となったところで、水素化反応容器内の温度が所定の温度（１００〜５００℃）となるまで、水素化反応容器内を加熱する。所定の温度を維持するように加熱条件を制御しながら、メタホウ酸ナトリウム１モルに対して水素ガス４モルとなるまで、水素ガスの供給を継続する。メタホウ酸ナトリウムの反応量は、反応容器に供給した全水素ガス流量により概算することができる。
【００２０】
上記のようにメタホウ酸ナトリウムの水素化を行うことにより、カートリッジ１の容器３内に水素化ホウ素ナトリウムが生成する。反応が終了すると、シリコンゴムパッキンを利用して容器３をキャップ４により密閉する。このとき、キャップ４の水供給口６と水素排出口７とは、コックやシリコン栓などにより密閉する。このような手順により、容器３内に水と反応して水素ガスを発生する化合物が配されたカートリッジ１が調製される。
【００２１】
（水素ガス発生システム）
図３は、本発明の実施の形態の少なくとも１つに対応する、カートリッジを用いた水素ガス発生システムを説明するための概略図である。本発明における水素ガス発生システムは、図３に示すように、カートリッジ１と、加水制御装置８と、水素圧力調整装置９と、中央制御装置１０と、純水生成装置１１と、タンク１２と、水素供給手段１３と、その他、水素ガスが供給される外部１４を備える。カートリッジ１には、水と反応して水素ガスを発生する化合物が配されている。
【００２２】
加水制御装置８はカートリッジ１に水を供給するものである。本発明においては水として、純水又は蒸留水を用いることができる。加水制御装置８は、より具体的には、純水生成装置１１で生成された純水をタンク１２に貯留し、電磁バルブなどの弁機能である加水制御装置８を介してカートリッジ１の水供給口６と接続された配管を通して、水を供給する。その他、純水生成装置１１を用いずに、市販により入手可能な純水タンクを上記タンク１２として適用し、純水タンクから加水制御装置８を介してカートリッジ１の水供給口６とに接続された配管を通して水を供給するようにしてもよい。
【００２３】
中央制御装置１０は、水素圧力調整装置９にて測定された水素ガスの圧力又は発生量を受信する。中央制御装置１０は、カートリッジ１において発生した水素ガスの圧力又は発生量に関する情報に基づいて、加水制御装置８によりカートリッジ１に供給される水の量を制御する。供給した水と化合物との反応により、カートリッジ１における水素ガスの発生量が多くなれば、加水制御装置８からの水の供給量を減少させる。一方、カートリッジ１における水素ガスの発生量が少なくなれば、加水制御装置８による水の供給量を増加させることができる。水の供給量は、例えば、流速により調整することができる。
【００２４】
水素供給手段１３は、上記カートリッジ１内の化合物と水との反応により発生した水素ガスを外部１４へ供給する手段であり、例えば、カートリッジ１のキャップ４に設けられた水素排出口７に接続される配管である。さらに配管で接続された外部１４へ、水素圧力調整装置９を介して水素ガスを供給する。
【００２５】
カートリッジ１に充填した水素化ホウ素ナトリウムが反応し、水素ガスの発生が得られなくなった場合、新たな水素の供給源が必要となる。カートリッジ１にて発生した水素ガスの圧力若しくは発生量、又は、水素供給手段１３により外部１４へ供給された水素ガスの圧力若しくは供給量が、所定の基準以下となった場合に、カートリッジ１の交換が必要であることを通知する通知手段を備えることができる。通知を受けた利用者は、カートリッジ１を交換することで、水素ガス発生システムを継続的に稼働させることができる。
【００２６】
上記水素ガス発生システムにおいてカートリッジ１は予め複数備えられ、また、備えられたカートリッジ１が自動交換可能な態様とすることができる。例えば、水素ガスの発生量が所定の基準以下であると検知されると、加水制御装置８と水素圧力調整装置９のそれぞれに接続されているカートリッジ１の水供給口６と水素排出口７に接続された配管の弁が閉じられる。そして、これらの配管が、新たなカートリッジ１のキャップ４の水供給口６と水素排出口７とに接続され、配管の弁が開けられる。このような操作により水素ガス発生用のカートリッジの交換が完了する。交換後、新たなカートリッジ１への水の供給により、水素ガスの発生が中央制御装置１０の制御により行なわれる。
【００２７】
また、複数のカートリッジ１間の交換は、カートリッジ１のそれぞれに加水制御装置８と水素圧力調整装置９が弁を備えた配管により接続された形態とし、カートリッジ１の交換が必要となった場合に、弁の開閉の切り替えにより新たなカートリッジ１へ接続するようにしてもよい。カートリッジ１は２つに限られず、３以上の複数を用意するようにしてもよい。
【００２８】
複数のカートリッジ１の一部または全てから水素ガスの発生が不可となった場合は、上記のように弁を閉じ、水素ガス発生システムから取り出し、新たに水素化ホウ素ナトリウムを充填したカートリッジ１と交換することで、水素ガス発生システムの稼働を継続させることができる。
【符号の説明】
【００２９】
１    カートリッジ
２    開口部
３    容器
４    キャップ
５    継手
６    水供給口
７    水素排出口
８    加水制御装置
９    水素圧力調整装置
１０  中央制御装置
１１  純水生成装置
１２  タンク
１３  水素供給手段
１４  外部
【図１】
2020183336.tif 000003
【図２】
2020183336.tif 000004
【図３】
2020183336.tif 000005